(57)【要約】【課題】金融店舗に配信される広告コンテンツ及び割込みコンテンツのコンテンツ毎の表示実積を記録する金融機関向けコンテンツの表示実績記録システムの提供。【解決手段】金融機関向けコンテンツの表示実績記録システムＳは、広告提供会社１とコンテンツ配信センタ２と金融店舗３とからなる。広告提供会社１のＰＣ１０とコンテンツ配信センタ２のＰＣ２０と金融店舗３のＰＣ３０とが公衆回線５を介して接続される。広告コンテンツのコンテンツ配信前の表示対価を算出する場合、コンテンツ配信センタ２のパソコン２０が広告コンテンツ配信の表示対価を算出する。コンテンツ配信センタ２のパソコン２０が算出した広告コンテンツ配信の表示対価を広告コンテンツ表示実績データとして表示対価ＤＢ２５に蓄積する。【選択図】        図１
2004272643.tif 000002
【特許請求の範囲】
【請求項１】
広告主から依頼された広告を提供する広告提供会社と、金融機関向けコンテンツとして前記広告の広告コンテンツ又は割込みコンテンツを配信するコンテンツ配信センタと、前記広告コンテンツ又は前記割込みコンテンツを表示するための表示装置が設置された金融機関などの金融店舗とからなり、前記広告提供会社パソコンと前記コンテンツ配信センタパソコンと前記金融店舗パソコンとを通信回線を介して各種のコンテンツ情報を送受信するように接続し、前記金融店舗パソコンに対して配信された前記広告コンテンツ又は前記割込みコンテンツのコンテンツ毎の表示実績を記録する金融機関向けコンテンツの表示実績記録システムであって、
前記広告提供会社パソコンは、前記広告主から依頼された前記広告に関する広告情報を前記コンテンツ配信センタパソコンに送信する機能を備え、前記コンテンツ配信センタパソコンは、前記広告提供会社パソコンから送信された前記広告情報を受信する機能と、受信した前記広告情報に関するコンテンツ情報を前記広告コンテンツとして前記金融店舗パソコンに対して配信する機能と、前記広告提供会社パソコンから割込み情報がある場合、前記割込み情報に関するコンテンツ情報を前記割込みコンテンツとして前記広告コンテンツに割込んで前記金融店舗パソコンに対して配信する機能とを備え、前記金融店舗パソコンは、前記コンテンツ配信センタパソコンから配信された前記広告コンテンツを指定された時刻に前記表示装置に表示させる機能と、前記コンテンツ配信センタパソコンから配信された前記割込みコンテンツを前記広告コンテンツよりも優先的に前記表示装置に表示させる機能とを備え、さらに、前記コンテンツ配信センタパソコンは、前記広告コンテンツのコンテンツ配信前の表示対価を算出する場合、前記広告コンテンツのコンテンツ配信計画時の実際に前記表示装置に表示させるコンテンツ毎の表示時間，前記表示装置の表示画面を複数に分割した表示エリアの大きさ，表示位置及び時間帯などの情報から前記広告コンテンツ配信の表示対価を算出する機能と、算出した前記広告コンテンツ配信の表示対価を広告コンテンツ表示実績データとして表示対価データベースに蓄積する機能とを備えたことを特徴とする金融機関向けコンテンツの表示実績記録システム。
【請求項２】
上記コンテンツ配信センタパソコンは、上記金融店舗パソコンに対する上記割込みコンテンツの配信があった場合、前記割込みコンテンツの実際に上記表示装置に表示させる表示時間，前記表示装置の表示画面を複数に分割した表示エリアの大きさ，表示位置及び時間帯などの情報から前記割込みコンテンツ配信の表示対価を算出する機能と、算出した前記割込みコンテンツ配信の表示対価を割込みコンテンツ表示実績データとして表示対価データベースに蓄積する機能とを備えている請求項１に記載の金融機関向けコンテンツの表示実績記録システム。
【請求項３】
上記コンテンツ配信センタパソコンは、上記割込みコンテンツの割込まれた表示予定の広告コンテンツに対する表示対価を上記広告コンテンツ配信の表示対価より差し引く機能と、差し引いた実際の広告コンテンツ配信の表示対価を広告コンテンツ表示実績データとして表示対価データベースに蓄積する機能とを備えている請求項１または２に記載の金融機関向けコンテンツの表示実績記録システム。
【請求項４】
上記コンテンツ配信センタパソコンは、上記広告コンテンツ配信及び上記割込みコンテンツ配信の表示対価の集計周期になった場合、上記表示対価データベースに蓄積された上記広告コンテンツ表示実績データ及び上記割込みコンテンツ表示実績データを集計周期分だけ集計する機能と、前記広告コンテンツ表示実績データ及び前記割込みコンテンツ表示実績データの集計結果に基づいて前記広告コンテンツ配信及び前記割込みコンテンツ配信に対する支払い対価をコンテンツ毎／広告主毎／支払い先毎単位に算出する機能と、算出した前記支払い対価を支払い対価情報として支払い対価データベースに登録する機能とを備えている請求項１乃至３のいずれかに記載の金融機関向けコンテンツの表示実績記録システム。
【請求項５】
上記コンテンツ配信センタパソコンは、上記支払い対価データベースに登録された上記支払い対価情報に基づいて上記広告コンテンツ配信及び上記割込みコンテンツ配信に対する料金を上記支払い先に請求する機能を備えている請求項１乃至４のいずれかに記載の金融機関向けコンテンツの表示実績記録システム。
【発明の詳細な説明】
【０００１】
【発明の属する技術分野】
本発明は、特に、銀行などの金融機関の金融店舗に配信される広告コンテンツや割込みコンテンツなどの金融機関向けコンテンツの表示実積を記録するのに最適な金融機関向けコンテンツの表示実績記録システムに関するものである。
【０００２】
【従来の技術】
従来、センタに接続された複数の金融機関などの店舗に対して、文字・音声・映像による適切なメッセージを決められたタイミングで出力するようにしたものが特許文献１に開示されている。
【０００３】
【特許文献１】
特開２０００−９０１７５号公報
【０００４】
【発明が解決しようとする課題】
ところが、従来の特許文献１に開示されたものは、センサーが金融機関などの店舗への来客を感知すると、店舗内に設置されたディスプレイに広告やお知らせなどの通常のメッセージを単に出力するようにしたにすぎないものであった。
【０００５】
本発明の目的は、コンテンツ配信センタパソコンが広告コンテンツ配信及び割込みコンテンツ配信の表示対価を表示実績データとして表示対価データベースに蓄積し、金融店舗内に設置した表示装置に実際に表示された広告コンテンツ及び割込みコンテンツのコンテンツ毎の表示実績をコンテンツ配信センタ側で保存して管理し、広告コンテンツ配信及び割込みコンテンツ配信の表示対価を算出する処理，広告コンテンツ配信及び割込みコンテンツ配信の表示対価を表示対価データベースに蓄積する処理，広告コンテンツ配信及び割込みコンテンツ配信の表示対価を集計する処理，広告コンテンツ配信及び割込みコンテンツ配信に対する支払い対価を算出する処理，支払い対価を支払い対価データベースに登録する処理，並びに広告コンテンツ配信及び割込みコンテンツ配信に対する料金を請求する処理をコンテンツ配信センタ側で一括して行え、広告提供会社側の手間や労力を省くことが可能な金融機関向けコンテンツの表示実績記録システムを提供することにある。
【０００６】
【課題を解決するための手段】
本発明の金融機関向けコンテンツの表示実績記録システムは、広告主から依頼された広告を提供する広告提供会社と、金融機関向けコンテンツとして前記広告の広告コンテンツ又は割込みコンテンツを配信するコンテンツ配信センタと、前記広告コンテンツ又は前記割込みコンテンツを表示するための表示装置が設置された金融機関などの金融店舗とからなり、前記広告提供会社パソコンと前記コンテンツ配信センタパソコンと前記金融店舗パソコンとを通信回線を介して各種のコンテンツ情報を送受信するように接続し、前記金融店舗パソコンに対して配信された前記広告コンテンツ又は前記割込みコンテンツのコンテンツ毎の表示実績を記録する金融機関向けコンテンツの表示実績記録システムであって、前記広告提供会社パソコンが、前記広告主から依頼された前記広告に関する広告情報を前記コンテンツ配信センタパソコンに送信する機能を備え、前記コンテンツ配信センタパソコンが、前記広告提供会社パソコンから送信された前記広告情報を受信する機能と、受信した前記広告情報に関するコンテンツ情報を前記広告コンテンツとして前記金融店舗パソコンに対して配信する機能と、前記広告提供会社パソコンから割込み情報がある場合、前記割込み情報に関するコンテンツ情報を前記割込みコンテンツとして前記広告コンテンツに割込んで前記金融店舗パソコンに対して配信する機能とを備え、前記金融店舗パソコンが、前記コンテンツ配信センタパソコンから配信された前記広告コンテンツを指定された時刻に前記表示装置に表示させる機能と、前記コンテンツ配信センタパソコンから配信された前記割込みコンテンツを前記広告コンテンツよりも優先的に前記表示装置に表示させる機能とを備え、さらに、前記コンテンツ配信センタパソコンが、前記広告コンテンツのコンテンツ配信前の表示対価を算出する場合、前記広告コンテンツのコンテンツ配信計画時の実際に前記表示装置に表示させるコンテンツ毎の表示時間，前記表示装置の表示画面を複数に分割した表示エリアの大きさ，表示位置及び時間帯などの情報から前記広告コンテンツ配信の表示対価を算出する機能と、算出した前記広告コンテンツ配信の表示対価を広告コンテンツ表示実績データとして表示対価データベースに蓄積する機能とを備えたことを特徴とする構成を有するものである。
【０００７】
上記の本発明によれば、広告コンテンツのコンテンツ配信前の表示対価を算出する場合、コンテンツ配信センタパソコンが広告コンテンツのコンテンツ配信計画時の実際に表示装置に表示させるコンテンツ毎の表示時間，表示装置の表示画面を複数に分割した表示エリアの大きさ，表示位置及び時間帯などの情報から広告コンテンツ配信の表示対価を算出するので、金融店舗内に設置した表示装置に実際に表示された広告コンテンツ配信の表示対価の数値をコンテンツ配信センタ側で計算して求めることができ、コンテンツ配信センタパソコンが算出した広告コンテンツ配信の表示対価を広告コンテンツ表示実績データとして表示対価データベースに蓄積するので、広告コンテンツ表示実績データをコンテンツ配信センタ側で保存して管理することができる。
【０００８】
本発明の金融機関向けコンテンツの表示実績記録システムは、上記コンテンツ配信センタパソコンが、上記金融店舗パソコンに対する上記割込みコンテンツの配信があった場合、前記割込みコンテンツの実際に上記表示装置に表示させる表示時間，前記表示装置の表示画面を複数に分割した表示エリアの大きさ，表示位置及び時間帯などの情報から前記割込みコンテンツ配信の表示対価を算出する機能と、算出した前記割込みコンテンツ配信の表示対価を割込みコンテンツ表示実績データとして表示対価データベースに蓄積する機能とを備えている。
【０００９】
上記の本発明によれば、金融店舗パソコンに対する割込みコンテンツの配信があった場合、コンテンツ配信センタパソコンが割込みコンテンツの実際に表示装置に表示させる表示時間，表示装置の表示画面を複数に分割した表示エリアの大きさ，表示位置及び時間帯などの情報から割込みコンテンツ配信の表示対価を算出するので、金融店舗内に設置した表示装置に実際に表示された割込みコンテンツ配信の表示対価の数値をコンテンツ配信センタ側で計算して求めることができ、コンテンツ配信センタパソコンが算出した割込みコンテンツ配信の表示対価を割込みコンテンツ表示実績データとして表示対価データベースに蓄積するので、割込みコンテンツ表示実績データをコンテンツ配信センタ側で保存して管理することができる。
【００１０】
本発明の金融機関向けコンテンツの表示実績記録システムは、上記コンテンツ配信センタパソコンが、上記割込みコンテンツの割込まれた表示予定の広告コンテンツに対する表示対価を上記広告コンテンツ配信の表示対価より差し引く機能と、差し引いた実際の広告コンテンツ配信の表示対価を広告コンテンツ表示実績データとして表示対価データベースに蓄積する機能とを備えている。
【００１１】
上記の本発明によれば、コンテンツ配信センタパソコンが割込みコンテンツの割込まれた表示予定の広告コンテンツに対する表示対価を広告コンテンツ配信の表示対価より差し引くので、広告コンテンツ配信の表示対価をコンテンツ配信センタ側で補正でき、コンテンツ配信センタパソコンが差し引いた実際の広告コンテンツ配信の表示対価を広告コンテンツ表示実績データとして表示対価データベースに蓄積するので、補正された広告コンテンツ表示実績データをコンテンツ配信センタ側で保存して管理することができる。
【００１２】
本発明の金融機関向けコンテンツの表示実績記録システムは、上記コンテンツ配信センタパソコンが、上記広告コンテンツ配信及び上記割込みコンテンツ配信の表示対価の集計周期になった場合、上記表示対価データベースに蓄積された上記広告コンテンツ表示実績データ及び上記割込みコンテンツ表示実績データを集計周期分だけ集計する機能と、前記広告コンテンツ表示実績データ及び前記割込みコンテンツ表示実績データの集計結果に基づいて前記広告コンテンツ配信及び前記割込みコンテンツ配信に対する支払い対価をコンテンツ毎／広告主毎／支払い先毎単位に算出する機能と、算出した前記支払い対価を支払い対価情報として支払い対価データベースに登録する機能とを備えている。
【００１３】
上記の本発明によれば、広告コンテンツ配信及び割込みコンテンツ配信の表示対価の集計周期になった場合、コンテンツ配信センタパソコンが表示対価データベースに蓄積された広告コンテンツ表示実績データ及び割込みコンテンツ表示実績データを集計周期分だけ集計するので、広告コンテンツ配信及び割込みコンテンツ配信の表示対価をコンテンツ配信センタ側で合計することができ、コンテンツ配信センタパソコンが広告コンテンツ表示実績データ及び割込みコンテンツ表示実績データの集計結果に基づいて広告コンテンツ配信及び割込みコンテンツ配信に対する支払い対価をコンテンツ毎／広告主毎／支払い先毎単位に算出するので、広告コンテンツ配信及び割込みコンテンツ配信に対する支払い対価の数値をコンテンツ配信センタ側で計算して求めることができ、コンテンツ配信センタパソコンが算出した支払い対価を支払い対価情報として支払い対価データベースに登録するので、支払い対価情報をコンテンツ配信センタ側で保存して管理することができる。
【００１４】
本発明の金融機関向けコンテンツの表示実績記録システムは、上記コンテンツ配信センタパソコンが、上記支払い対価データベースに登録された上記支払い対価情報に基づいて上記広告コンテンツ配信及び上記割込みコンテンツ配信に対する料金を上記支払い先に請求する機能を備えている。
【００１５】
上記の本発明によれば、コンテンツ配信センタパソコンが支払い対価データベースに登録された支払い対価情報に基づいて広告コンテンツ配信及び割込みコンテンツ配信に対する料金を支払い先に請求するので、コンテンツ配信センタが金融店舗への広告コンテンツ配信及び割込みコンテンツ配信に対する手数料を支払い先から得ることができる。
【００１６】
【発明の実施の形態】
以下、本発明の実施の形態を図面に基づいて詳細に説明する。
図１は、本発明の実施の形態に係わる金融機関向けコンテンツの表示実績記録システムを示す構成図である。
本発明の金融機関向けコンテンツの表示実績記録システムＳは、広告主から依頼された広告を提供する広告提供会社１と、金融機関向けコンテンツとして広告の広告コンテンツ又は割込みコンテンツを配信するコンテンツ配信センタ２と、広告コンテンツ又は割込みコンテンツを表示するための表示装置３７が設置された金融機関などの金融店舗３とからなり、広告提供会社１のパソコン（ＰＣ；Ｐｅｒｓｏｎａｌ  Ｃｏｍｐｕｔｅｒ）１０とコンテンツ配信センタ２のパソコン（ＰＣ）２０と金融店舗３のパソコン（ＰＣ）３０とが通信回線である公衆回線５を介して各種のコンテンツ情報を送受信するように接続され、金融店舗３のパソコン３０に対して配信された広告コンテンツ又は割込みコンテンツのコンテンツ毎の表示実績を記録するシステムである。
【００１７】
本発明の金融機関向けコンテンツの表示実績記録システムＳは、広告提供会社１のパソコン１０が、広告主から依頼された広告に関する広告情報をコンテンツ配信センタ２のパソコン２０に送信する機能を備え、コンテンツ配信センタ２のパソコン２０が、広告提供会社１のパソコン１０から送信された広告情報を受信する機能と、受信した広告情報に関するコンテンツ情報を広告コンテンツとして金融店舗３のパソコン３０に対して配信する機能と、広告提供会社１のパソコン１０から割込み情報がある場合、割込み情報に関するコンテンツ情報を割込みコンテンツとして広告コンテンツに割込んで金融店舗３のパソコン３０に対して配信する機能とを備え、金融店舗３のパソコン３０が、コンテンツ配信センタ２のパソコン２０から配信された広告コンテンツを指定された時刻に表示装置３７に表示させる機能と、コンテンツ配信センタ２のパソコン２０から配信された割込みコンテンツを広告コンテンツよりも優先的に表示装置３７に表示させる機能とを備えている。
【００１８】
本発明の金融機関向けコンテンツの表示実績記録システムＳは、さらに、コンテンツ配信センタ２のパソコン２０が、広告コンテンツのコンテンツ配信前の表示対価を算出する場合、広告コンテンツのコンテンツ配信計画時の実際に表示装置３７に表示させるコンテンツ毎の表示時間，表示装置３７の表示画面４２を複数に分割した表示エリアの大きさ，表示位置及び時間帯などの情報から広告コンテンツ配信の表示対価を算出する機能と、算出した広告コンテンツ配信の表示対価を広告コンテンツ表示実績データとして表示対価データベース（ＤＢ；Ｄａｔａ  Ｂａｓｅ）２５に蓄積する機能とを備えている。
【００１９】
本発明の金融機関向けコンテンツの表示実績記録システムＳは、コンテンツ配信センタ２のパソコン（ＰＣ）２０と金融店舗３のパソコン（ＰＣ）３０とが通信回線である衛星回線６を介して各種のコンテンツ情報を送受信するように連絡されている。
【００２０】
広告提供会社１は、図１に示すように、パソコン（ＰＣ）１０と、パソコン１０に接続された課金サーバ１１と、パソコン１０，課金サーバ１１に接続された広告情報，割込み情報を格納する共有データベース（ＤＢ）１２と、パソコン１０，課金サーバ１１，共有データベース１２に接続されたルータ１３とを有している。
【００２１】
コンテンツ配信センタ２は、図１に示すように、パソコン（ＰＣ）２０と、パソコン２０に接続された管理サーバ２１と、パソコン２０，管理サーバ２１に接続された広告情報を格納する広告コンテンツ配信用データベース（ＤＢ）２２と、パソコン２０，管理サーバ２１に接続された割込み情報を格納する割込みコンテンツ配信用データベース（ＤＢ）２３と、パソコン２０，管理サーバ２１に接続された金融店舗３のパソコン３０が集計した表示情報ログを格納するログデータベース（ＤＢ）２４と、パソコン２０，管理サーバ２１に接続された広告コンテンツ配信及び割込みコンテンツ配信の表示対価を表示実績データとして蓄積する表示対価データベース（ＤＢ）２５と、パソコン２０，管理サーバ２１に接続された広告コンテンツ配信及び割込みコンテンツ配信に対する支払い対価を支払い対価情報として登録する支払い対価データベース（ＤＢ）２６と、パソコン２０，管理サーバ２１，広告コンテンツ配信用データベース２２，割込みコンテンツ配信用データベース２３，ログデータベース２４，表示対価データベース２５，支払い対価データベース２６に接続されたルータ２７と、パソコン２０に接続された衛星通信用アンテナ２８とを有している。
【００２２】
コンテンツ配信センタ２のパソコン２０は、広告情報に関するコンテンツ情報，割込み情報に関するコンテンツ情報の他にも、金利情報，証券情報，外国為替情報などの金融関連コンテンツ情報や気象情報，交通情報，列車運行情報などのコンテンツ情報を金融店舗３のパソコン３０に対して配信することができる。
【００２３】
さらに、コンテンツ配信センタ２のパソコン２０は、広告情報に関するコンテンツ情報及び割込み情報に関するコンテンツ情報を衛星通信用アンテナ２８から衛星回線６の通信衛星６０を経由して金融店舗３のパソコン３０に接続された衛星通信用受信装置４１に送信することができる。
【００２４】
管理サーバ２１は、広告コンテンツ配信用データベース２２に格納された広告情報，割込みコンテンツ配信用データベース２３に格納された割込み情報，ログデータベース２４に格納された表示情報ログ，表示対価データベース２５に蓄積された表示実績データ，支払い対価データベース２６に登録された支払い対価情報などの各種の情報を管理するものである。
【００２５】
コンテンツ配信センタ２のパソコン２０は、広告提供会社１の共有データベース１２から広告情報を１週毎にダウンロードするようになっている。
【００２６】
さらに、コンテンツ配信センタ２のパソコン２０は、広告情報に関するコンテンツ情報を１週間又は１ヶ月に１度だけ金融店舗３のパソコン３０に対して配信するようになっている。
【００２７】
ここで、コンテンツ配信センタ２のパソコン２０は、広告情報に関するコンテンツ情報として動画，静止画，文字，音声などのコンテンツ情報を金融店舗３のパソコン３０に送信する。
【００２８】
また、コンテンツ配信センタ２のパソコン２０から金融店舗３のパソコン３０への広告情報に関するコンテンツ情報の送信方法としては、動画，静止画，文字，音声などのコンテンツ情報を一括にまとめて送信する一括送信、動画，静止画，文字，音声などのコンテンツ情報をリアルタイムに送信するリアルタイム送信、動画，静止画，文字，音声などのコンテンツ情報を適当に組み合わせて送信する組み合わせ送信などの方法が適用される。
【００２９】
コンテンツ配信センタ２のパソコン２０では、動画，静止画，文字，音声などのコンテンツ情報を全店一斉又は地域毎に送信するためのグルーピングが行われる。
【００３０】
さらに、コンテンツ配信センタ２のパソコン２０では、動画，静止画，文字，音声などのコンテンツ情報の一括送信，リアルタイム送信，時間指定表示などの処理順序を決定するスケジューリングが行われる。
【００３１】
コンテンツ配信センタ２のパソコン２０は、金融店舗３のパソコン３０への表示制御データの送信も行うようになっている。
【００３２】
金融店舗３は、図１に示すように、パソコン３０（ＰＣ）と、パソコン３０に接続された管理サーバ３１と、パソコン３０，管理サーバ３１に接続された広告情報に関するコンテンツ情報を格納する広告コンテンツ用データベース（ＤＢ）３２と、パソコン３０，管理サーバ３１に接続された割込み情報に関するコンテンツ情報を格納する割込みコンテンツ用データベース（ＤＢ）３３と、パソコン３０，管理サーバ３１に接続された表示した時刻，内容のログを格納するログデータベース（ＤＢ）３４と、パソコン３０，管理サーバ３１に接続された広告情報に関するコンテンツ情報及び割込み情報に関するコンテンツ情報の表示時間をコンテンツ表示時間情報として記録する表示記録用データベース（ＤＢ）３５と、パソコン３０，管理サーバ３１，広告コンテンツ用データベース３２，割込みコンテンツ用データベース３３，ログデータベース３４，表示記録用データベース３５に接続されたルータ３６と、パソコン３０に接続されたタッチパネル３７ａを備えている表示装置３７と、表示装置３７に接続されたタッチパネル３８と、表示装置３７に接続された印刷装置３９と、表示装置３７に接続された音声を出力するスピーカ４０と、パソコン３０に接続された衛星通信用受信装置４１とを有している。
【００３３】
管理サーバ３１は、広告コンテンツ用データベース３２に格納された広告情報に関するコンテンツ情報、割込みコンテンツ用データベース３３に格納された割込み情報に関するコンテンツ情報、ログデータベース３４に格納された広告情報に関するコンテンツ情報及び割込み情報に関するコンテンツ情報を表示装置３７に表示した時刻，内容のログ情報、表示記録用データベース３５に記録された広告情報に関するコンテンツ情報及び割込み情報に関するコンテンツ情報のコンテンツ表示時間情報などの各種の情報を管理するものである。
【００３４】
金融店舗３のパソコン３０は、動画，静止画，文字，音声などの通常の広告コンテンツ情報への割込みコンテンツ情報の割込み表示を行う。
【００３５】
また、金融店舗３のパソコン３０は、コンテンツを表示する表示スケジュールのスケジュール機能や速報機能を備え、表示順序や時間帯に応じた情報表示とコンテンツ配信センタ２からの指示による地震情報や台風情報などの臨時ニュース速報などを流すことができる。
【００３６】
金融店舗３内のパソコン３０毎にコンテンツを表示する表示スケジュールのスケジュールデータを設定できるため、地域別，店舗形態別などのグルーピング運用を行うことが可能である。
【００３７】
金融店舗３のパソコン３０は、コンテンツ配信センタ２の衛星通信用アンテナ２８から衛星回線６の通信衛星６０を経由して衛星通信用受信装置４１に送信された広告情報に関するコンテンツ情報及び割込み情報に関するコンテンツ情報を受信することができる。
【００３８】
本発明の金融機関向けコンテンツの表示実績記録システムＳは、コンテンツ配信センタ２のパソコン２０が、金融店舗３のパソコン３０に対する割込みコンテンツの配信があった場合、割込みコンテンツの実際に表示装置３７に表示させる表示時間，表示装置３７の表示画面４２を複数に分割した表示エリアの大きさ，表示位置及び時間帯などの情報から割込みコンテンツ配信の表示対価を算出する機能と、算出した割込みコンテンツ配信の表示対価を割込みコンテンツ表示実績データとして表示対価データベース２５に蓄積する機能とを備えている。
【００３９】
本発明の金融機関向けコンテンツの表示実績記録システムＳは、コンテンツ配信センタ２のパソコン２０が、割込みコンテンツの割込まれた表示予定の広告コンテンツに対する表示対価を広告コンテンツ配信の表示対価より差し引く機能と、差し引いた実際の広告コンテンツ配信の表示対価を広告コンテンツ表示実績データとして表示対価データベース２５に蓄積する機能とを備えている。
【００４０】
本発明の金融機関向けコンテンツの表示実績記録システムＳは、コンテンツ配信センタ２のパソコン２０が、広告コンテンツ配信及び割込みコンテンツ配信の表示対価の集計周期になった場合、表示対価データベース２５に蓄積された広告コンテンツ表示実績データ及び割込みコンテンツ表示実績データを集計周期分だけ集計する機能と、広告コンテンツ表示実績データ及び割込みコンテンツ表示実績データの集計結果に基づいて広告コンテンツ配信及び割込みコンテンツ配信に対する支払い対価をコンテンツ毎／広告主毎／支払い先毎単位に算出する機能と、算出した支払い対価を支払い対価情報として支払い対価データベース２６に登録する機能とを備えている。
【００４１】
本発明の金融機関向けコンテンツの表示実績記録システムＳは、コンテンツ配信センタ２のパソコン２０が、支払い対価データベース２６に登録された支払い対価情報に基づいて広告コンテンツ配信及び割込みコンテンツ配信に対する料金を支払い先に請求する機能を備えている。
【００４２】
金融店舗３内に設置された表示装置３７は、プラズマディスプレイである。
【００４３】
広告提供会社１とコンテンツ配信センタ２と金融店舗３とは、各種のコンテンツ情報の配信契約を締結し、広告提供会社１のパソコン１０とコンテンツ配信センタ２のパソコン２０と金融店舗３のパソコン３０とは、締結した配信契約の内容に従ってコンテンツ情報の配信を行うようになっている。
【００４４】
広告提供会社１とコンテンツ配信センタ２とは、公衆回線５を経由して送受信する広告の内容，情報量，表示時間，表示エリア，表示地域，配信方法などの広告情報に関するコンテンツ情報の配信契約を締結し、コンテンツ配信センタ２のパソコン２０は、締結した配信契約の内容に従って金融店舗３のパソコン３０に対して広告情報に関するコンテンツ情報の配信を行うようになっている。
【００４５】
コンテンツ配信センタ２と金融店舗３とは、公衆回線５を経由して送受信する広告の内容，情報量，表示時間，表示エリア，表示地域，配信方法及び表示装置３７の表示画面分割などの広告情報に関するコンテンツ情報の配信契約を締結し、コンテンツ配信センタ２のパソコン２０は、締結した配信契約の内容に従って金融店舗３のパソコン３０に対して広告情報に関するコンテンツ情報の配信を行うようになっている。
【００４６】
広告提供会社１のパソコン１０は、広告主から広告の依頼があると、広告に関する広告情報を作成し、作成した広告情報をコンテンツ配信センタ２のパソコン２０に送信するようになっている。
【００４７】
また、広告提供会社１のパソコン１０は、広告情報に関するコンテンツ情報の表示中に割込んで割込み情報に関するコンテンツ情報を表示する必要が発生した場合、割込み情報を作成し、作成した割込み情報をコンテンツ配信センタ２のパソコン２０に送信するようになっている。
【００４８】
コンテンツ配信センタ２のパソコン２０は、広告提供会社１のパソコン１０から送信された広告情報を受信し、受信した広告情報に基づいて表示装置３７の表示画面４２に対応した広告用コンテンツを作成し、作成した広告用コンテンツの種類，放映時間，放映時刻，配信先，配信内容，配信時期などの各種設定条件を設定し、広告用コンテンツの広告コンテンツ情報を広告コンテンツ配信用データベース２２に登録し、広告コンテンツ情報の配信時期が来ると、広告コンテンツ情報を金融店舗３のパソコン３０に配信するようになっている。
【００４９】
また、コンテンツ配信センタ２のパソコン２０は、広告提供会社１のパソコン１０から送信された割込み情報を受信し、受信した割込み情報に基づいて割込み用コンテンツを作成し、作成した割込み用コンテンツの表示画面，割込み指定時刻，表示内容，表示時間，割込み配信先，配信時刻などの各種設定条件を設定し、割込み用コンテンツの割込みコンテンツ情報を割込みコンテンツ配信用データベース２３に登録し、割込みコンテンツ情報の配信時期が来ると、割込みコンテンツ情報を金融店舗３のパソコン３０に配信するようになっている。
【００５０】
金融店舗３のパソコン３０は、コンテンツ配信センタ２のパソコン２０から配信された広告コンテンツ情報を受信し、受信した広告コンテンツ情報を広告コンテンツ用データベース３２に格納し、広告コンテンツ情報を指定された時刻に表示装置３７に表示させ、広告コンテンツ情報を必要に応じて表示装置３７に分割表示させるようになっている。
【００５１】
金融店舗３のパソコン３０は、割込みコンテンツ情報がコンテンツ配信センタ２のパソコン２０から配信された場合、コンテンツ配信センタ２のパソコン２０から配信された割込みコンテンツ情報を受信し、受信した割込みコンテンツ情報を割込みコンテンツ用データベース３３に格納し、割込みコンテンツ情報を表示装置３７に表示させるようになっている。
【００５２】
金融店舗３のパソコン３０は、コンテンツ配信センタ２のパソコン２０から配信されたコンテンツ情報が通常の広告コンテンツ情報であれば、広告コンテンツ情報を広告コンテンツ用データベース３２に格納し、金融店舗３のパソコン３０に内蔵されたタイマ（図示せず）により指定時刻になると、広告コンテンツ情報を表示装置３７に表示させるようになっている。
【００５３】
金融店舗３のパソコン３０は、コンテンツ配信センタ２のパソコン２０から配信されたコンテンツ情報が割込みコンテンツ情報であれば、割込みコンテンツ情報を割込みコンテンツ用データベース３３に格納し、広告コンテンツ情報の表示中にコンテンツ配信センタ２のパソコン２０から割込みコンテンツ情報が配信されると、割込みコンテンツ情報を広告コンテンツ情報に割込んで表示装置３７に表示させるようになっている。
【００５４】
金融店舗３のパソコン３０は、コンテンツ配信センタ２のパソコン２０からの表示指示に従って広告コンテンツ情報及び割込みコンテンツ情報を表示装置３７に表示した時刻，内容のログを取り、時刻，内容のログをログデータベース３４に格納し、コンテンツ配信センタ２のパソコン２０から指示又は指定された期日になると、ログ情報をコンテンツ配信センタ２のパソコン２０に報告するようになっている。
【００５５】
コンテンツ配信センタ２のパソコン２０は、金融店舗３のパソコン３０からの広告コンテンツ情報及び割込みコンテンツ情報を表示装置３７に表示した表示情報ログを集計し、集計した表示情報ログをログデータベース２４に格納し、課金時期が来ると、広告提供会社１のパソコン１０にコンテンツ配信の料金請求を行い、広告提供会社１から料金を回収するようになっている。
【００５６】
図２は、本発明の実施の形態に係わる金融機関向けコンテンツの表示実績記録システムにおける金融店舗内に設置された表示装置の表示画面を複数の区画に分割指定した場合の例を示す説明図、（ａ）は表示装置の表示画面を４つの表示エリアに分割指定した場合の第１例を示す図、（ｂ）は表示装置の表示画面を３つの表示エリアに分割指定した場合の第２例を示す図、（ｃ）は表示装置の表示画面を（ａ）とは異なる４つの表示エリアに分割指定した場合の第３例を示す図である。
金融店舗３内に設置された表示装置３７の表示画面４２を図２（ａ）に示すような４つの表示エリア４２Ａ，４２Ｂ，４２Ｃ，４２Ｄに分割指定した場合、表示装置３７の表示画面４２の表示エリア４２Ａには、例えば、コンテンツ配信センタ２の広告コンテンツ配信用データベース２２からダウンロードした広告情報に関するコンテンツ情報として動画のコンテンツが表示され、表示装置３７の表示画面４２の表示エリア４２Ｂには、例えば、コンテンツ配信センタ２の広告コンテンツ配信用データベース２２からダウンロードした広告情報に関するコンテンツ情報として静止画のコンテンツが表示され、表示装置３７の表示画面４２の表示エリア４２Ｃには、例えば、コンテンツ配信センタ２の広告コンテンツ配信用データベース２２からダウンロードした広告情報に関するコンテンツ情報として表示エリア４２Ａとは異なる動画のコンテンツが表示され、表示装置３７の表示画面４２の表示エリア４２Ｄには、例えば、コンテンツ配信センタ２の広告コンテンツ配信用データベース２２からダウンロードした広告情報に関するコンテンツ情報として文字情報などのテキストのコンテンツが表示されるようになっている。
【００５７】
また、金融店舗３内に設置された表示装置３７の表示画面４２を図２（ｂ）に示すような３つの表示エリア４２Ａ，４２Ｂ，４２Ｃに分割指定した場合、表示装置３７の表示画面４２の表示エリア４２Ａには、例えば、コンテンツ配信センタ２の広告コンテンツ配信用データベース２２からダウンロードした広告情報に関するコンテンツ情報として動画のコンテンツが表示され、表示装置３７の表示画面４２の表示エリア４２Ｂには、例えば、コンテンツ配信センタ２の広告コンテンツ配信用データベース２２からダウンロードした広告情報に関するコンテンツ情報として静止画のコンテンツが表示され、表示装置３７の表示画面４２の表示エリア４２Ｃには、例えば、コンテンツ配信センタ２の広告コンテンツ配信用データベース２２からダウンロードした広告情報に関するコンテンツ情報として動画のコンテンツが表示されるようになっている。
【００５８】
さらに、金融店舗３内に設置された表示装置３７の表示画面４２を図２（ｃ）に示すような４つの表示エリア４２Ａ，４２Ｂ，４２Ｃ，４２Ｄに分割指定した場合、表示装置３７の表示画面４２の表示エリア４２Ａには、例えば、コンテンツ配信センタ２の広告コンテンツ配信用データベース２２からダウンロードした広告情報に関するコンテンツ情報として動画のコンテンツが表示され、表示装置３７の表示画面４２の表示エリア４２Ｂには、例えば、コンテンツ配信センタ２の広告コンテンツ配信用データベース２２からダウンロードした広告情報に関するコンテンツ情報として静止画のコンテンツが表示され、表示装置３７の表示画面４２の表示エリア４２Ｃには、例えば、コンテンツ配信センタ２の広告コンテンツ配信用データベース２２からダウンロードした広告情報に関するコンテンツ情報として表示エリア４２Ａとは異なる動画のコンテンツが表示され、表示装置３７の表示画面４２の表示エリア４２Ｄには、例えば、コンテンツ配信センタ２の広告コンテンツ配信用データベース２２からダウンロードした広告情報に関するコンテンツ情報として文字情報などのテキストのコンテンツが表示されるようになっている。
【００５９】
図３は、本発明の金融機関向けコンテンツの表示実績記録システムにおけるコンテンツ配信センタパソコンから金融店舗パソコンへの金融機関向けコンテンツ配信時の流れを示す処理フロー図である。
ステップＳ１００でスタートした処理は、コンテンツ配信センタ２のパソコン２０から金融店舗３のパソコン３０への金融機関向けコンテンツ配信時に、まず、ステップＳ１０１で広告提供会社１のパソコン１０が広告主から依頼された広告に関する広告情報を公衆回線５を経由してコンテンツ配信センタ２のパソコン２０に送信し、次いで、ステップＳ１０２でコンテンツ配信センタ２のパソコン２０が広告提供会社１のパソコン１０から送信された広告情報をルータ２７を中継して受信し、次いで、ステップＳ１０３でコンテンツ配信センタ２のパソコン２０が受信した広告情報に基づいて金融店舗３内に設置された表示装置３７の表示画面４２に対応した通常の広告用コンテンツを作成し、次いで、ステップＳ１０４でコンテンツ配信センタ２のパソコン２０が作成した広告用コンテンツの各種設定条件を設定する。
【００６０】
ステップＳ１０４における広告用コンテンツの各種設定条件の設定として、コンテンツ配信センタ２のパソコン２０により、表示装置３７の表示画面４２の分割指定の設定、分割指定した表示装置３７の表示画面４２と動画，静止画，テキストなどの広告用コンテンツとの対応の設定、広告用コンテンツの種類の設定、各広告用コンテンツの放映時間の設定、各広告用コンテンツの放映時刻の設定、広告用コンテンツの配信先の設定、広告用コンテンツの配信内容の設定、広告用コンテンツの配信時期の設定などが行われる。
【００６１】
次いで、ステップＳ１０５でコンテンツ配信センタ２のパソコン２０が広告用コンテンツの広告コンテンツ情報を広告コンテンツ配信用データベース２２に登録し、次いで、ステップＳ１０６でコンテンツ配信センタ２のパソコン２０が広告コンテンツ情報の配信時期であるかを判断する。
【００６２】
ここで、広告コンテンツ情報の配信時期である場合（ステップＳ１０６“Ｙ”）、ステップＳ１０７でコンテンツ配信センタ２のパソコン２０が動画，静止画，文字，音声などの広告コンテンツ情報を公衆回線５を経由して金融店舗３のパソコン３０に配信する。
【００６３】
図４は、本発明の金融機関向けコンテンツの表示実績記録システムにおけるコンテンツ配信センタパソコンから金融店舗パソコンへの割込み用コンテンツ配信時の流れを示す処理フロー図である。
ステップＳ２００でスタートした処理は、コンテンツ配信センタ２のパソコン２０から金融店舗３のパソコン３０への割込み用コンテンツ配信時に、広告情報に関するコンテンツ情報の表示中に割込んで割込み情報に関するコンテンツ情報を表示する必要が発生した場合、まず、ステップＳ２０１で広告提供会社１のパソコン１０が緊急時あるいは災害時などに臨時ニュース速報などの割込み情報を作成し、次いで、ステップＳ２０２で広告提供会社１のパソコン１０が作成した割込み情報を公衆回線５を経由してコンテンツ配信センタ２のパソコン２０に送信し、次いで、ステップＳ２０３でコンテンツ配信センタ２のパソコン２０が広告提供会社１のパソコン１０から送信された割込み情報をルータ２７を中継して受信し、次いで、ステップＳ２０４でコンテンツ配信センタ２のパソコン２０が受信した割込み情報に基づいて割込み用コンテンツを作成し、次いで、ステップＳ２０５でコンテンツ配信センタ２のパソコン２０が作成した割込み用コンテンツの各種設定条件を設定する。
【００６４】
ステップＳ２０５における割込み用コンテンツの各種設定条件の設定として、コンテンツ配信センタ２のパソコン２０により、レイアウト指示，表示エリア指定などの表示装置３７の表示画面４２の設定、割込み用コンテンツの割込み指定時刻の設定、割込み用コンテンツの表示内容の設定、割込み用コンテンツの表示時間の設定、割込み用コンテンツの割込み配信先の設定、割込み用コンテンツの配信時刻の設定などが行われる。
【００６５】
次いで、ステップＳ２０６でコンテンツ配信センタ２のパソコン２０が割込み用コンテンツの割込みコンテンツ情報を割込みコンテンツ配信用データベース２３に登録し、次いで、ステップＳ２０７でコンテンツ配信センタ２のパソコン２０が割込みコンテンツ情報の配信時期であるかを判断する。
【００６６】
ここで、割込みコンテンツ情報の配信時期である場合（ステップＳ２０７“Ｙ”）、ステップＳ２０８でコンテンツ配信センタ２のパソコン２０が割込みコンテンツ情報を公衆回線５を経由して金融店舗３のパソコン３０に配信する。
【００６７】
図５は、本発明の金融機関向けコンテンツの表示実績記録システムにおける金融店舗パソコンによる表示装置へのコンテンツ表示時の流れを示す処理フロー図である。
ステップＳ３００でスタートした処理は、金融店舗３のパソコン３０による表示装置３７へのコンテンツ表示時に、まず、ステップＳ３０１で金融店舗３のパソコン３０がコンテンツ配信センタ２のパソコン２０から配信されたコンテンツ情報をルータ３６を中継して受信し、次いで、ステップＳ３０２で金融店舗３のパソコン３０がコンテンツ配信センタ２のパソコン２０から配信されたコンテンツ情報が通常の広告コンテンツ情報であるかを判断する。
【００６８】
ここで、コンテンツ配信センタ２のパソコン２０から配信されたコンテンツ情報が通常の広告コンテンツ情報である場合（ステップＳ３０２“Ｙ”）、ステップＳ３０３で金融店舗３のパソコン３０が通常の広告コンテンツ情報を広告コンテンツ用データベース３２に格納し、次いで、ステップＳ３０４で金融店舗３のパソコン３０が現時刻に表示装置３７に表示するコンテンツ情報があるかを判断する。
【００６９】
また、コンテンツ配信センタ２のパソコン２０から配信されたコンテンツ情報が通常の広告コンテンツ情報でない場合（ステップＳ３０２“Ｎ”）、ステップＳ３０５で金融店舗３のパソコン３０が割込みコンテンツ情報を割込みコンテンツ用データベース３３に格納し、次いで、ステップＳ３０４に移行する。
【００７０】
さらに、現時刻に表示装置３７に表示するコンテンツ情報がある場合（ステップＳ３０４“Ｙ”）、ステップＳ３０６で金融店舗３のパソコン３０がコンテンツ配信センタ２のパソコン２０から配信されたコンテンツ情報が割込みコンテンツ情報であるかを判断する。
【００７１】
ここで、コンテンツ配信センタ２のパソコン２０から配信されたコンテンツ情報が割込みコンテンツ情報である場合（ステップＳ３０６“Ｙ”）、ステップＳ３０７で金融店舗３のパソコン３０が割込みコンテンツ情報を通常の広告コンテンツ情報に割込んで優先的に表示装置３７の表示画面４２に表示させ、次いで、ステップＳ３０８で金融店舗３のパソコン３０が割込みコンテンツ情報の表示時間を割込みコンテンツ表示時間情報として表示記録用データベース３５に記録し、その後、ステップＳ３０４に戻る。
【００７２】
また、コンテンツ配信センタ２のパソコン２０から配信されたコンテンツ情報が割込みコンテンツ情報でない場合（ステップＳ３０６“Ｎ”）、ステップＳ３０９で金融店舗３のパソコン３０が通常の広告コンテンツ情報を指定された時刻に表示装置３７の表示画面４２に表示させ、次いで、ステップＳ３１０で金融店舗３のパソコン３０が通常の広告コンテンツ情報の表示時間を広告コンテンツ表示時間情報として表示記録用データベース３５に記録し、その後、ステップＳ３０４に戻る。
【００７３】
さらに、現時刻に表示装置３７に表示するコンテンツ情報がない場合（ステップＳ３０４“Ｎ”）、ステップＳ３１１で金融店舗３のパソコン３０が全コンテンツ情報の表示終了であるかを判断する。
【００７４】
ここで、全コンテンツ情報の表示終了でない場合（ステップＳ３１１“Ｎ”）、ステップＳ３０４に戻る。
【００７５】
図６は、本発明の金融機関向けコンテンツの表示実績記録システムにおけるコンテンツ配信センタパソコンによる金融機関向けコンテンツ配信に対する料金請求時の流れを示す処理フロー図である。
ステップＳ４００でスタートした処理は、コンテンツ配信センタ２のパソコン２０による金融機関向けコンテンツ配信に対する料金請求時に、まず、ステップＳ４０１でコンテンツ配信センタ２のパソコン２０が広告コンテンツのコンテンツ配信前の表示対価を算出するかを判断する。
【００７６】
ここで、広告コンテンツのコンテンツ配信前の表示対価を算出する場合（ステップＳ４０１“Ｙ”）、ステップＳ４０２でコンテンツ配信センタ２のパソコン２０が広告コンテンツのコンテンツ配信計画時の実際に表示装置３７に表示させるコンテンツ毎の表示時間，表示装置３７の表示画面４２を複数に分割した表示エリアの大きさ，表示位置及び時間帯などの情報から広告コンテンツ配信の表示対価を算出し、次いで、ステップＳ４０３でコンテンツ配信センタ２のパソコン２０が算出した広告コンテンツ配信の表示対価を広告コンテンツ表示実績データとして表示対価データベース２５に蓄積し、次いで、ステップＳ４０４でコンテンツ配信センタ２のパソコン２０が広告コンテンツ配信及び割込みコンテンツ配信の表示対価の集計周期になったかを判断する。
【００７７】
また、広告コンテンツのコンテンツ配信前の表示対価を算出しない場合（ステップＳ４０１“Ｎ”）、ステップＳ４０５でコンテンツ配信センタ２のパソコン２０が金融店舗３のパソコン３０に対する割込みコンテンツの配信が有ったかを判断する。
【００７８】
ここで、金融店舗３のパソコン３０に対する割込みコンテンツの配信が有った場合（ステップＳ４０５“Ｙ”）、ステップＳ４０６でコンテンツ配信センタ２のパソコン２０が割込みコンテンツの実際に表示装置３７に表示させる表示時間，表示装置３７の表示画面４２を複数に分割した表示エリアの大きさ，表示位置及び時間帯などの情報から割込みコンテンツ配信の表示対価を算出し、次いで、ステップＳ４０７でコンテンツ配信センタ２のパソコン２０が算出した割込みコンテンツ配信の表示対価を割込みコンテンツ表示実績データとして表示対価データベース２５に蓄積し、次いで、ステップＳ４０８でコンテンツ配信センタ２のパソコン２０が割込みコンテンツの割込まれた表示予定の広告コンテンツに対する表示対価を広告コンテンツ配信の表示対価より差し引き、次いで、ステップＳ４０９でコンテンツ配信センタ２のパソコン２０が差し引いた実際の広告コンテンツ配信の表示対価を広告コンテンツ表示実績データとして表示対価データベース２５に蓄積し、次いで、ステップＳ４０４に移行する。
【００７９】
また、金融店舗３のパソコン３０に対する割込みコンテンツの配信が無かった場合（ステップＳ４０５“Ｎ”）、ステップＳ４０１に戻る。
【００８０】
ここで、広告コンテンツ配信及び割込みコンテンツ配信の表示対価の集計周期になった場合（ステップＳ４０４“Ｙ”）、ステップＳ４１０でコンテンツ配信センタ２のパソコン２０が表示対価データベース２５に蓄積された広告コンテンツ表示実績データ及び割込みコンテンツ表示実績データを集計周期分だけ集計し、次いで、ステップＳ４１１でコンテンツ配信センタ２のパソコン２０が広告コンテンツ表示実績データ及び割込みコンテンツ表示実績データの集計結果に基づいて広告コンテンツ配信及び割込みコンテンツ配信に対する支払い対価をコンテンツ毎／広告主毎／支払い先毎単位に算出し、次いで、ステップＳ４１２でコンテンツ配信センタ２のパソコン２０が算出した支払い対価を支払い対価情報として支払い対価データベース２６に登録し、次いで、ステップＳ４１３でコンテンツ配信センタ２のパソコン２０が支払い対価データベース２６に登録された支払い対価情報に基づいて広告コンテンツ配信及び割込みコンテンツ配信に対する料金を支払い先に請求する。
【００８１】
また、広告コンテンツ配信及び割込みコンテンツ配信の表示対価の集計周期になっていない場合（ステップＳ４０４“Ｎ”）、ステップＳ４０１に戻る。
【００８２】
【発明の効果】
以上に述べたように、本発明の金融機関向けコンテンツの表示実績記録システムによれば、広告提供会社パソコンが広告主から依頼された広告に関する広告情報をコンテンツ配信センタパソコンに送信するのみで、コンテンツ配信センタパソコンが広告提供会社から提供された広告情報に関するコンテンツ情報を広告コンテンツとして金融店舗パソコンに対して配信するので、最新の広告コンテンツをコンテンツ配信センタ側から金融店舗側に向けて全店一斉又は地域毎に確実に配信することができ、広告提供会社パソコンから割込み情報がある場合、コンテンツ配信センタパソコンが割込み情報に関するコンテンツ情報を割込みコンテンツとして広告コンテンツに割込んで金融店舗パソコンに対して配信するので、緊急時の割込みコンテンツをコンテンツ配信センタ側から金融店舗側に向けて全店一斉又は地域毎に迅速に配信することができ、コンテンツ配信センタパソコンが広告コンテンツ又は割込みコンテンツを金融店舗パソコンに対して配信するので、コンテンツ配信センタが金融店舗に対して広告コンテンツ又は割込みコンテンツを配信する業務を広告提供会社に代行して行うことができる。
【００８３】
また、コンテンツ配信センタパソコンが広告コンテンツ配信及び割込みコンテンツ配信の表示対価を算出するので、広告コンテンツ配信及び割込みコンテンツ配信の表示対価の数値をコンテンツ配信センタ側で計算して求めることができ、コンテンツ配信センタパソコンが算出した広告コンテンツ配信及び割込みコンテンツ配信の表示対価を表示実績データとして表示対価データベースに蓄積するので、金融店舗内に設置した表示装置に実際に表示された広告コンテンツ及び割込みコンテンツのコンテンツ毎の表示実績をコンテンツ配信センタ側で保存して管理することができる。
【００８４】
さらに、広告コンテンツ配信及び割込みコンテンツ配信の表示対価を算出する処理，広告コンテンツ配信及び割込みコンテンツ配信の表示対価を表示対価データベースに蓄積する処理，広告コンテンツ配信及び割込みコンテンツ配信の表示対価を集計する処理，広告コンテンツ配信及び割込みコンテンツ配信に対する支払い対価を算出する処理，支払い対価を支払い対価データベースに登録する処理，並びに広告コンテンツ配信及び割込みコンテンツ配信に対する料金を請求する処理をコンテンツ配信センタ側で一括して行えるので、広告提供会社側の手間や労力を省くことができる。
【図面の簡単な説明】
【図１】本発明の実施の形態に係わる金融機関向けコンテンツの表示実績記録システムを示す構成図。
【図２】本発明の実施の形態に係わる金融機関向けコンテンツの表示実績記録システムにおける金融店舗内に設置された表示装置の表示画面を複数の区画に分割指定した場合の例を示す説明図。
【図３】本発明の金融機関向けコンテンツの表示実績記録システムにおけるコンテンツ配信センタパソコンから金融店舗パソコンへの金融機関向けコンテンツ配信時の流れを示す処理フローチャート図。
【図４】本発明の金融機関向けコンテンツの表示実績記録システムにおけるコンテンツ配信センタパソコンから金融店舗パソコンへの割込み用コンテンツ配信時の流れを示す処理フローチャート図。
【図５】本発明の金融機関向けコンテンツの表示実績記録システムにおける金融店舗パソコンによる表示装置へのコンテンツ表示時の流れを示す処理フローチャート図。
【図６】本発明の金融機関向けコンテンツの表示実績記録システムにおけるコンテンツ配信センタパソコンによる金融機関向けコンテンツ配信に対する料金請求時の流れを示す処理フローチャート図。
【符号の説明】
１  広告提供会社
２  コンテンツ配信センタ
３  金融店舗
５  公衆回線（通信回線）
６  衛星回線（通信回線）
１０  パソコン（ＰＣ）
１１  課金サーバ
１２  共有データベース（ＤＢ）
１３  ルータ
２０  パソコン（ＰＣ）
２１  管理サーバ
２２  広告コンテンツ配信用データベース（ＤＢ）
２３  割込みコンテンツ配信用データベース（ＤＢ）
２４  ログデータベース（ＤＢ）
２５  表示対価データベース（ＤＢ）
２６  支払い対価データベース（ＤＢ）
２７  ルータ
２８  衛星通信用アンテナ
３０  パソコン（ＰＣ）
３１  管理サーバ
３２  広告コンテンツ用データベース（ＤＢ）
３３  割込みコンテンツ用データベース（ＤＢ）
３４  ログデータベース（ＤＢ）
３５  表示記録用データベース（ＤＢ）
３６  ルータ
３７  表示装置
３７ａ  タッチパネル
３８  タッチパネル
３９  印刷装置
４０  スピーカ
４１  衛星通信用受信装置
４２  表示画面
４２Ａ，４２Ｂ，４２Ｃ，４２Ｄ  表示エリア
６０  通信衛星
Ｓ  金融機関向けコンテンツの表示実績記録システム
【図１】
2004272643.tif 000003
【図２】
2004272643.tif 000004
【図３】
2004272643.tif 000005
【図４】
2004272643.tif 000006
【図５】
2004272643.tif 000007
【図６】
2004272643.tif 000008